(57)【特許請求の範囲】
【請求項１】
路面の効果による車両の接地荷重の変動である路面荷重を推定する路面荷重推定装置であって、
前記車両の車輪角速度を取得する車輪速センサと、
前記車輪速センサが取得した前記車輪角速度の変動、前記車両が備える車輪の剛性を示す第一ゲイン、および、前記車輪角速度の変動と路面荷重との間のヒステリシス特性を表す第二ゲインをそれぞれ乗じて前記車両の路面荷重を推定する路面荷重推定部と、
を備える路面荷重推定装置。
【請求項２】
前記剛性は、前記車輪のタイヤの前記接地荷重に対するバネ定数の関係におけるバネ定数で表される、請求項１に記載の路面荷重推定装置。
【請求項３】
前記第二ゲインが表す前記車両のヒステリシス特性は、前記車両が備えるタイヤの粘弾性特性による前記車輪角速度の変動と、前記路面荷重との間のヒステリシス特性である、請求項１または２に記載の路面荷重推定装置。
【請求項４】
前記第二ゲインは、前記ヒステリシス特性を表現する伝達関数モデルで表される、請求項３に記載の路面荷重推定装置。
【請求項５】
請求項１〜４のいずれか一項に記載の路面荷重推定装置を備え、前記路面荷重推定装置が推定した路面荷重を用いて、前記車両が備える懸架装置、電子制御式サスペンション、操舵装置、および、電子制御式駆動力伝達装置からなる群から選ばれる一以上の装置を制御する車両制御装置。
【請求項６】
前記路面荷重推定装置は、前記車両の慣性運動による接地荷重の変動である慣性荷重を推定する慣性荷重推定部をさらに備え、
前記路面荷重推定部は、前記慣性荷重推定部が推定した前記慣性荷重の一次式を用いて前記第一ゲインを演算する第一ゲイン演算部をさらに備える、
請求項１に記載の路面荷重推定装置。
【請求項７】
路面の効果による車両の接地荷重の変動である路面荷重を推定する路面荷重推定方法であって、
前記車両の車輪角速度を車輪速センサによって取得するステップと、
前記車輪速センサによって取得した前記車輪角速度の変動、前記車両が備える車輪の剛性を示す第一ゲイン、および、前記車輪角速度の変動と路面荷重との間のヒステリシス特性を表す第二ゲインをそれぞれ乗じて前記車両の路面荷重を推定するステップと、
を含む路面荷重推定方法。
【発明の詳細な説明】
【技術分野】
【０００１】
本発明は、接地荷重推定装置、車両制御装置および接地荷重推定方法に関する。
【背景技術】
【０００２】
従来、車両における車輪の接地荷重を推定し、当該推定結果を用いて車両の制動力および駆動力などを制御し、車両の走行安定性を高める技術が知られている。接地荷重の推定には、車両の走行安定性を高める観点から、十分に高い精度が求められている。当該接地荷重を推定する技術としては、車両の挙動をモデル化した車両運動モデルに基づいて、検出した車両状態量から接地荷重を推定する技術が知られている（例えば、特許文献１参照）。
【先行技術文献】
【特許文献】
【０００３】
【特許文献１】特開２００６−１３１０６２号公報
【発明の概要】
【発明が解決しようとする課題】
【０００４】
しかしながら、当該接地荷重は、路面の凹凸の影響によっても変動する。したがって、上述のような従来技術は、接地荷重を推定するためのモデルが車体の姿勢変化を伴う荷重変化のみを考慮しているモデルであるため、路面からの車両への影響の反映が不十分となることがある。よって、車両の接地荷重の精度を高める観点から検討の余地が残されている。
【０００５】
本発明の一態様は、十分に高い精度で車両における接地荷重を推定可能な技術を実現することを目的とする。
【課題を解決するための手段】
【０００６】
上記の課題を解決するために、本発明の一態様に係る接地荷重推定装置は、車両の路面荷重を参照して前記車両の接地荷重を推定する接地荷重推定装置であって、前記車両の車輪角速度を取得する車輪速センサと、前記車輪速センサが取得した前記車輪角速度の変動、前記車両の運動に関する特性を表す第一ゲイン、および、前記車両が備えるタイヤのヒステリシス特性を表す第二ゲインをそれぞれ乗じて前記車両の路面荷重を推定する路面荷重推定部と、を備える。
【０００７】
また、上記の課題を解決するために、本発明の一態様に係る車両制御装置は、上記の接地荷重推定装置を備え、前記接地荷重推定装置が推定した接地荷重を用いて、前記車両が備える他の装置を制御する。
【０００８】
さらに、上記の課題を解決するために、本発明の一態様に係る接地荷重推定方法は、車両の路面荷重を参照して前記車両の接地荷重を推定する接地荷重推定方法であって、前記車両の車輪角速度を車輪速センサによって取得するステップと、前記車輪速センサによって取得した車輪角速度の変動、前記車両の運動に関する特性を表す第一ゲイン、および、前記車両が備えるタイヤのヒステリシス特性を表す第二ゲインをそれぞれ乗じて前記車両の路面荷重を推定する路面荷重推定ステップと、を含む。
【発明の効果】
【０００９】
本発明の一態様によれば、十分に高い精度で車両における接地荷重を推定することができる。
【図面の簡単な説明】
【００１０】
【図１】本発明の一実施形態に係る接地荷重推定装置の機能的構成の一例を示すブロック図である。
【図２】本発明の一実施形態における路面荷重推定部の機能的構成の一例を示すブロック図である。
【図３】車両の車輪に係る物理量を説明するための図である。
【図４】本発明の一実施形態においてタイヤの粘弾性特性に由来する車輪速変動と路面荷重変動との間のヒステリシス特性を表現する一般化マクスウエルモデルの一例を説明するための図である。
【図５】本発明の一実施形態においてタイヤの粘弾性特性に由来する車輪速変動と路面荷重変動との間のヒステリシス特性を表現する一般化マクスウエルモデルの他の例を説明するための図である。
【図６】本発明の一実施形態に係る接地荷重推定装置が適用される車両の構成の一例を模式的に示す図である。
【発明を実施するための形態】
【００１１】
本発明における実施形態では、車両の走行安定性を高めるための制御に通常使用されるセンサを用いて取得可能な車両の物理量を参照して、車両の車輪における接地荷重を十分に高い精度で推定する。なお、本明細書において物理量を「参照」とは、当該物理量を直接または間接的に使用することの総称であり、これらの一方または両方を意味する。
【００１２】
本実施形態において、センサは、車両の走行に係る標準的な制御に通常使用されるセンサ（以下「汎用センサ」とも言う）であってよく、ロールレートセンサおよびピッチレートセンサを含まなくてよい。汎用センサの例には、車両の前後加速度を取得する前後加速度センサ、車両の横加速度を取得する横加速度センサ、車両の車輪角速度を取得する車輪速センサ、および、車両の旋回情報を取得する旋回情報センサ、が含まれる。旋回情報センサの例には、ヨーレートセンサおよび操舵角センサが含まれる。
【００１３】
本実施形態において、上記のセンサが検出する物理量の例には、車両の定常荷重、車両の慣性荷重、前後加速度センサの値、横加速度センサの値、車輪速センサの値、旋回情報センサの値、車両の質量、車両の重心高、ロール慣性モーメント、ピッチ慣性モーメント、車両の前車軸重心間距離、車両の後車軸重心間距離、車両のフロントトレッド長、および、車両のリアトレッド長、が含まれる。
【００１４】
また、本実施形態において、路面荷重とは、路面の凹凸などの路面の効果による接地荷重の変動を意味する。また、慣性荷重とは、車両の旋回の効果および加減速の効果による接地荷重の変動を意味する。また、実施形態において、定常荷重とは、車両の１Ｇにおける接地荷重であり、例えば、車両の質量に基づく算出値であってもよいし、車両に特有の定数であってもよい。さらに、本実施形態において、車両の接地荷重は、車両の路面荷重を参照して推定することができ、例えば、車両の定常荷重および慣性荷重に車両の路面荷重を足すことにより推定することができる。
【００１５】
以下、本発明の一実施形態について、詳細に説明する。
【００１６】
〔実施形態１〕
［接地荷重推定装置の機能的構成］
図１は、本発明の実施形態１に係る接地荷重推定装置の機能的構成の一例を示すブロック図である。図１に示されるように、接地荷重推定装置１００は、慣性荷重推定部１１０、路面荷重推定部１２０、前後加速度センサおよび横加速度センサ（前後、横加速度センサ）１３１、操舵角センサまたはヨーレートセンサ（操舵角／ヨーレートセンサ）１３２、車輪速センサ１３３、定常荷重提供部１４１、遅延部１４２および加算部１４３、１４４を備えている。
【００１７】
前後、横加速度センサ１３１、操舵角／ヨーレートセンサ１３２および車輪速センサ１３３は、慣性荷重推定部１１０に接続されている。前後、横加速度センサ１３１、および車輪速センサ１３３は、路面荷重推定部１２０に接続されている。前後、横加速度センサ１３１、操舵角／ヨーレートセンサ１３２および車輪速センサ１３３は、慣性荷重推定部１１０および路面荷重推定部１２０のそれぞれが取得すべき車両に関する物理量を提供しており、慣性荷重推定部１１０および路面荷重推定部１２０のそれぞれに対して、取得部となっている。
【００１８】
慣性荷重推定部１１０は、算出した慣性荷重の信号を出力する。慣性荷重推定部１１０は、遅延部１４２を介して加算部１４３に接続されている。定常荷重提供部１４１は、定常荷重の信号を出力する。定常荷重提供部１４１も加算部１４３に接続されている。加算部１４３は、加算部１４４および路面荷重推定部１２０のそれぞれに接続されている。路面荷重推定部１２０は、加算部１４４と接続されている。
【００１９】
また、図示しないが、慣性荷重推定部１１０および路面荷重推定部１２０は、それぞれ、車両が有する制御系のネットワーク（例えば後述のＣＡＮなど）に接続されており、当該ネットワークを介して、車両の質量、車両の重心の高さ、車両の重心に対応する路面上の点を基準とするロール慣性モーメント、当該路面上の点を基準とするピッチ慣性モーメント、前車軸重心間距離、後車軸重心間距離、フロントトレッド長、および、リアトレッド長などの、車両に特有の物理量を取得する。当該ネットワークも、本実施形態における取得部に該当する。
【００２０】
［接地荷重の推定の概要］
本実施形態における接地荷重は、以下の式（１）により表される。式（１）において、Ｆｚ０ｎｏｍは、１Ｇ状態における接地荷重を表し、ｄＦｚ０，ｉｎｅｒｔｉａは、慣性荷重を表し、ｄＦｚ０，ｒｏａｄは、路面荷重を表す。
【００２１】
【数１】
0006817483.tif 000002
【００２２】
前後、横加速度センサ１３１は、車両における前後加速度および横加速度を検出して出力し、（操舵角／ヨーレートセンサ）１３２は、車両における操舵角またはヨーレートを検出して出力し、車輪速センサ１３３は、車両の車輪における車輪速を検出して出力する。また、前述のネットワークは、車両に関する種々の物理量を出力する。
【００２３】
慣性荷重推定部１１０は、上記の物理量を参照して慣性荷重を推定する。慣性荷重推定部１１０は、慣性荷重ｄＦｚ０，ｉｎｅｒｔｉａを遅延部１４２に出力する。遅延部１４２は、必要に応じて、その後の制御に応じた適当なタイミングとなるように遅らせて当該慣性荷重を出力する。たとえば、遅延部１４２は、後述する式（１１）におけるｍｏｖａｖｇ（ω）による遅延に合わせて同位相となるように慣性荷重を出力する。加算部１４３は、定常荷重提供部１４１から出力された定常荷重Ｆｚ０ｎｏｍと慣性荷重とを合算する。定常荷重と慣性荷重との合計値は、路面荷重推定部１２０および加算部１４４に出力される。
【００２４】
一方で、路面荷重推定部１２０は、後述する第二ゲインを参照して路面荷重の推定値を出力する。路面荷重の推定については後述する。
【００２５】
路面荷重推定部１２０から出力された路面荷重の推定値は、加算部１４４において、上記の合計値と合算される。そして、定常荷重、慣性荷重および路面荷重の合計値が、車両の接地荷重の推定値Ｆｚ０として得られる。
【００２６】
なお、本発明において、慣性荷重の推定方法は限定されない。慣性荷重ｄＦｚ０，ｉｎｅｒｔｉａは、例えば特許第６６９５４８１号公報の段落００４２または特開２００８−０７４１８４号公報の段落００２４に記載の方法によって求めてもよい。
【００２７】
次に、本実施形態における路面荷重の推定について、その機能的構成およびそのロジックを以下に説明する。
【００２８】
［路面荷重推定部の機能的構成］
図２は、本実施形態における路面荷重推定部の機能的構成の一例を示すブロック図である。本実施形態において、路面荷重推定部１２０は、図２に示されるように、タイヤ有効半径変動演算部１２１および第一ゲイン演算部１２２を有している。
【００２９】
［路面荷重推定のロジック］
車両の車輪について、非線形なタイヤ特性は、下記式（２）および式（３）で表される。式（３）においては、「Ｆｚ０」は、式（４）に示されるように、定常荷重と慣性荷重の和である。
【００３０】
【数２】
0006817483.tif 000003
【００３１】
上記式中、ｄＲｅはタイヤ有効半径変化を表し、ａ１は第一ゲインを表し、ａ１１は第一パラメータを表し、ａ１２は第二パラメータを表す。
【００３２】
第一ゲインａ１は、車両が備える車輪の剛性を示す。第一ゲインａ１は、タイヤの接地荷重に対するバネ定数の関係におけるバネ定数で表される。当該関係は、非線形の曲線で表されるが、式（３）に示されるように、一次式に近似することが可能である。
【００３３】
第一パラメータａ１１および第二パラメータａ１２は、いずれも、第一ゲインａ１を幅広い条件に適用させるための調整パラメータである。第一パラメータは、上記の近似による一次式における傾きで表され、第二パラメータは、当該一次式の切片で表される。
【００３４】
図３は、車両の車輪に係る物理量を説明するための図である。図３中、Ｒｅはタイヤの有効半径を表し、ωはタイヤの角速度を表し、ｕ０はタイヤの周速を表している。タイヤのスリップ比を考慮すると、タイヤの有効半径Ｒｅは、下記式（５）で表される。式（５）の全微分により下記式（６）が導き出される。
【００３５】
【数３】
0006817483.tif 000004
【００３６】
スリップ比が変化しないと仮定すると、式（６）から式（７）が導かれ、さらに式（８）が導き出される。下記式中、ａ２は第二ゲインを表す。第二ゲインについては後に詳述する。
【００３７】
【数４】
0006817483.tif 000005
【００３８】
式（８）中のかっこ内は、式（９）に示されるように近似できる。式（９）中、「ｍｏｖａｖｇ（ω）」は、角速度の移動平均を表す。よって、式（８）から式（１０）が導き出される。
【００３９】
【数５】
0006817483.tif 000006
【００４０】
式（９）を式（２）に代入すると、式（１１）が導き出される。式（１１）より、路面荷重が算出される。式（１１）は、ｍｏｖａｖｇ（ω）を含む。なお、路面荷重の算出は、ｍｏｖａｖｇ（ω）の取得に要する時間に応じて（例えば０．０５秒）遅くなる。
【００４１】
【数６】
0006817483.tif 000007
【００４２】
＜第二ゲイン＞
第二ゲインａ２は、車輪角速度の変動と、路面荷重の変動との間のヒステリシス特性を表現する伝達関数モデルを表す。
【００４３】
波状の起伏を有する路面上を走行する実車から車輪速変動と路面荷重変動とを測定すると、それらの相関性について以下の特徴がみられる。
・正の相関性を有するが、その傾き方向に対してやや幅を有する領域に存在する。
・走行速度が速くなるほど傾きは大きくなる。
・走行速度が速くなるほど、傾き方向における幅は大きくなる。
・走行速度が速くなるほど、傾き方向の長さが長くなる。
【００４４】
このように、車輪速変動と路面荷重変動との間には、ヒステリシス特性があると考えられる。本実施形態では、車輪速変動と路面荷重変動との間のヒステリシス特性を、第二ゲインとして路面荷重の推定において参照する。
【００４５】
本実施形態では、車輪速変動と路面荷重変動との間のヒステリシス特性が、タイヤの粘弾性特性に由来するとし、当該ヒステリシス特性を、一般化マクスウェルモデルを利用して、伝達関数モデルとして表現する。
【００４６】
図４は、タイヤの粘弾性特性に由来する車輪速変動と路面荷重変動との間のヒステリシス特性を表現する一般化マクスウエルモデルの一例を説明するための図である。図中、ｆは、一般化マクスウェルモデル上の路面荷重を表し、Ｋ０およびＫ１はタイヤばね定数を表し、ｘ１１はばね変位を表す。また、Ｃ１は懸架装置におけるタイヤの減衰係数を表し、ｘ１２はタイヤ減衰系部の変位を表す。また、ｘはｘ１１およびｘ１２の合計値を表す。
【００４７】
上記一般化マクスウエルモデルにおいて、ばねおよびダンパ側の力をｆ１とし、ばねのみの列の力をｆ０とすると、各並列要素の合力は下記式（１２）で表せる。式（１２）の両辺をラプラス変換すると、式（１３）となる。式（１３）の各項を大文字のＦで表すと、式（１４）のように表される。式（１４）の両辺をＸにて除算すると、式（１５）が得られる。式（１５）中、Ｘは、図４中のｘのラプラス変換（Ｌ（ｘ））を表す。
【００４８】
【数７】
0006817483.tif 000008
【００４９】
ｆ０については、ｆ０についての力の釣り合いより、ｆ０は式（１６）で表される。式（１６）の両辺をラプラス変換すると、式（１７）で表され、式（１７）中の各項を大文字で表すと式（１８）と表され、式（１８）より式（１９）が導き出される。
【００５０】
【数８】
0006817483.tif 000009
【００５１】
ｆ１については、ｆ１についての力のつり合いより、ｆ１は式（２０）および式（２１）で表される。式（２１）中、ｘ１２ドットはｘ１２の微分値を表す。式（２０）および式（２１）の両辺をラプラス変換すると、式（２２）および式（２３）が導き出され、それらの式の各項を大文字で表すことにより式（２４）および式（２５）が導き出される。式（２４）および式（２５）から式（２６）が導き出され、さらに式（２７）が導き出される。
【００５２】
【数９】
0006817483.tif 000010
【００５３】
式（１５）に式（１９）および式（２７）を代入すると式（２８）が得られ、この式を整理すると下記式（２９）が得られる。式（２９）中、ｄ１、ｄ０、ｎ１およびｎ０は、それぞれ、ｄ１は式（３０）で、ｄ０は式（３１）で、ｎ１は式（３２）で、そしてｎ０は式（３３）で、それぞれ表される。
【００５４】
【数１０】
0006817483.tif 000011
【００５５】
ここで，一般化マクスウエルモデルにて、ｆを路面荷重に対応させ、ｘを下記式（３５）のように対応させることにより、「車輪速変動−路面荷重変動間のヒステリシス特性」は、下記式（３４）で表される。よって、路面荷重ｄＦｚ０ｒｏａｄは、式(３６)で表される。また、第二ゲインａ２は、式（３７）で表される。
【００５６】
【数１１】
0006817483.tif 000012
【００５７】
式（３４）の分母分子における係数は、実車の測定データを用い最適化手法などを利用して適宜に決めることができる。
【００５８】
なお、上記の説明では、一次数のモデルを仮定してヒステリシス特性を表現するモデルを導き出したが、高次数のモデルを仮定してヒステリシス特性を表現するモデルを導き出してもよい。図５は、タイヤの粘弾性特性に由来する車輪速変動と路面荷重変動との間のヒステリシス特性を表現する一般化マクスウエルモデルの他の例を説明するための図である。図５に示されるように、より高次数（三次数）のモデルを仮定してヒステリシス特性を表現するモデルを導き出してもよい。この場合、一次数のモデルと同様に、並列要素の合力によりするモデルを足し合わせることにより、ヒステリシス特性を表現するモデルを導き出すことが可能である。このような高次数のモデルを用いることは、路面荷重変動のより高い精度の推定結果を得る観点から有利である。
【００５９】
［路面荷重の推定］
路面荷重推定部１２０において、第一ゲイン演算部１２２は、少なくとも定常荷重および慣性荷重を用いて第一ゲインａ１を演算する（図２参照）。路面荷重推定部１２０は、慣性荷重推定部１１０で得られた慣性荷重の推定値と、定常荷重提供部１４１から出力される定常荷重との合計値を取得する。第一ゲインａ１は、前述したように車両が備える車輪（タイヤ）の剛性（バネ定数）で表され、接地荷重に対する当該バネ定数の非線形の曲線に近似する一次式で表すことができる。ここでの接地荷重は、上記の定常荷重と慣性荷重との合計値である。第一ゲイン演算部１２２は、式（３）に当該合計値を代入することにより、第一ゲインを演算する。
【００６０】
タイヤ有効半径変動演算部１２１は、車輪角速度の変動に第二ゲインを乗じる。車輪角速度の変動は、車輪角速度ωの変動値ｄωを含む数値であり、例えば式（８）中のｄω／ωである。具体的には、タイヤ有効半径変動演算部１２１は、式(１０)に基づき、タイヤ有効半径変動を演算する。
【００６１】
路面荷重推定部１２０は、第一ゲイン演算部１２２とタイヤ有効半径変動演算部１２１との演算結果および前述した第二ゲインを参照して、例えば前述の式（１１）に基づき路面荷重を算出する。このように、路面荷重推定部１２０は、車輪速センサが取得した車輪角速度の変動、車両の運動に関する特性を表す第一ゲイン、および、車両が備えるタイヤのヒステリシス特性を表す第二ゲインをそれぞれ乗じて車両の路面荷重を推定する。
【００６２】
［接地荷重の推定］
慣性荷重推定部１１０は、慣性荷重ｄＦｚ０，ｉｎｅｒｔｉａを遅延部１４２に出力する（図１参照）。遅延部１４２は、必要に応じて、その後の制御に応じた適当なタイミングとなるように遅らせて当該慣性荷重を出力する。たとえば、遅延部１４２は、前述した式（４０）におけるｍｏｖａｖｇ（ω）による遅延に合わせて同位相となるように慣性荷重を出力する。加算部１４３は、定常荷重提供部１４１から出力された定常荷重Ｆｚ０ｎｏｍと慣性荷重とを合算する。定常荷重と慣性荷重との合計値は、路面荷重推定部１２０および加算部１４４に出力される。
【００６３】
一方で、路面荷重推定部１２０は、路面荷重の推定値を出力する。当該路面荷重の推定値は、定常荷重と慣性荷重とを参照して得られている。
【００６４】
路面荷重推定部１２０から出力された路面荷重の推定値は、加算部１４４において、上記の合計値と合算される。こうして、定常荷重、慣性荷重および路面荷重の合計値が、車両の接地荷重の推定値Ｆｚ０として得られる。
【００６５】
本実施形態によれば、所定の条件で車両を走行させる場合に、接地荷重の実測値と実質的に一致する推定値が得られる。以上より、本実施形態は、第二ゲインを定数ゲインとする場合に比べて、より高い精度で接地荷重を推定することが可能である。
【００６６】
本実施形態では、前述したヒステリシス特性を示す第二ゲインを用いて路面荷重を推定することから、路面の凹凸の影響を十分に反映して路面荷重を推定することが可能である。そして、このような路面荷重を参照して接地荷重を推定することから、十分に高い精度で車両における接地荷重を推定することが可能である。また、本実施形態では、このような高い精度の接地荷重の推定をより簡易な制御によって推定することも可能である。
【００６７】
また、本実施形態では、路面荷重の推定において、定常荷重と推定した慣性荷重とを参照する。よって、これらを参照しない場合に比べて、路面荷重をより高い精度で推定することができる。
【００６８】
さらに、本実施形態では、汎用センサで取得可能な物理量を用いて基準慣性荷重を演算するとともに慣性荷重補正値を演算する。よって、センサに係るコストを削減することができる。
【００６９】
〔実施形態２：懸架装置の制御装置の実施形態〕
前述した接地荷重推定装置を、車両が有する懸架装置を制御する制御装置に適用する例について、以下に説明する。なお、説明の便宜上、上記実施形態にて説明した部材と同じ機能を有する部材については、同じ符号を付記し、その説明を繰り返さない。
【００７０】
本実施形態の制御装置は、懸架装置を有する車両に作用する接地荷重を推定して、前記懸架装置の減衰力を当該接地荷重に応じて制御する。当該制御装置は、前述した接地荷重推定装置を含み、当該接地荷重推定装置で推定した接地荷重に応じて懸架装置の減衰力を制御する以外は、懸架装置における公知の制御装置と同様に構成することが可能である。
【００７１】
図６は、上記の接地荷重推定装置を有する車両の構成の一例を模式的に示す図である。図６に示されるように、車両９００は、懸架装置（サスペンション）１５０、車体２００、車輪３００、車速（Ｖ）を検出する車速センサ４５０、エンジン５００およびＥＣＵ（Ｅｌｅｃｔｒｏｎｉｃ  Ｃｏｎｔｒｏｌ  Ｕｎｉｔ）６００を備えている。ＥＣＵ６００は、前述したプロセッサに該当し、前述の接地荷重推定装置を含む。
【００７２】
なお、符号中のアルファベットＡ〜Ｄは、それぞれ、車両９００における位置を表している。Ａは、車両９００の左前の位置を表し、Ｂは、車両９００の右前の位置を表し、Ｃは、車両９００の左後ろを表し、Ｄは、車両９００の右後ろを表している。
【００７３】
また、車両９００は、車両９００の前後方向の加速度を検出する前後加速度センサ３４０などの各種センサを有している。当該センサは、前述した汎用センサに該当する。また、車両９００は、記憶媒体を有している。記憶媒体には、物理量の推定に要する種々の情報が記憶されている。当該情報の例には、車輪半径および車両の質量（車重）などの車両に関する種々の物理量が含まれる。
【００７４】
各種センサの出力値のＥＣＵ６００への供給、および、ＥＣＵ６００から各部への制御信号の伝達は、ＣＡＮ（Ｃｏｎｔｒｏｌｌｅｒ  Ａｒｅａ  Ｎｅｔｗｏｒｋ）３７０を介して行われる。各センサは、後述の物理量の推定のために新たに設けられてもよいが、コストの面から、車両９００に既存のセンサであることが好ましい。
【００７５】
本実施形態によれば、車両の接地荷重について実測値と同等の精度を有する推定値に基づいて、懸架装置の減衰力が制御される。よって、汎用センサ以外の特別なセンサを用いずとも、車両の走行安定性を十分に高めることができる。
【００７６】
なお、本実施形態では、制御装置において推定した接地荷重を直接的に用いて、車両の懸架装置の減衰力を制御している。本発明では、懸架装置と同様に、推定した接地荷重を、車両が有する種々の装置の制御に用いることができる。このような装置の例には、通常の懸架装置に加えて、電子制御式サスペンション、操舵装置、および、電子制御式駆動力伝達装置、が含まれる。推定した接地荷重は、車両におけるこれらの装置の一またはそれ以上の装置の制御に用いることが可能である。
【００７７】
これらの装置の制御において、接地荷重の推定結果は、当該装置の制御に、本実施形態のように直接的に用いられてもよいし、間接的に用いられてもよい。接地荷重の推定結果における間接的な使用とは、例えば、他の状態量に変換し、変換後の状態量の推定値を当該他の装置の制御に用いること、である。上記の他の装置の制御において前述の接地荷重の推定値を用いることにより、本実施形態と同様に、汎用センサ以外の特別なセンサを用いずとも、車両の走行安定性を十分に、あるいはより一層高めることができる。
【００７８】
〔ソフトウェアによる実現例〕
接地荷重推定装置１００の制御ブロック（特に慣性荷重推定部１１０および路面荷重推定部１２０）は、集積回路（ＩＣチップ）等に形成された論理回路（ハードウェア）によって実現してもよいし、ソフトウェアによって実現してもよい。
【００７９】
後者の場合、接地荷重推定装置１００は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Ｃｅｎｔｒａｌ  Ｐｒｏｃｅｓｓｉｎｇ  Ｕｎｉｔ）を用いることができる。
【００８０】
上記記録媒体としては、「一時的でない有形の媒体」、例えば、ＲＯＭ（Ｒｅａｄ  Ｏｎｌｙ  Ｍｅｍｏｒｙ）等の他、テープ、ディスク、カード、半導体メモリ、プログラマブルな論理回路などを用いることができる。また、上記プログラムを展開するＲＡＭ（Ｒａｎｄｏｍ  Ａｃｃｅｓｓ  Ｍｅｍｏｒｙ）などをさらに備えていてもよい。
【００８１】
また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８２】
〔変形例〕
本発明は、上述した各実施形態に限定されず、請求項に示した範囲で種々の変更が可能である。異なる実施形態にそれぞれ開示された技術的手段を適宜組み合わせて得られる実施形態も、本発明の技術的範囲に含まれる。また、前述の実施形態における接地荷重を推定するための機能的構成は、所望の精度に応じて適宜に簡略化されてもよい。
【００８３】
たとえば、本発明では、前述した慣性荷重推定部に代えて、別の公知の技術によって車両の慣性荷重を取得してもよい。また、本発明では、前述した第一ゲイン演算部に代えて、別の公知の技術によって第一ゲインまたは当該第一ゲインを実質的に含む車両の他の物理量を取得してもよい。
【００８４】
また、本発明では、第二ゲインが表す車両が備えるタイヤのヒステリシス特性になり得る範囲において、タイヤの粘弾性特性による車輪角速度の変動と、路面荷重の変動との間のヒステリシス特性以外のヒステリシス特性を採用してもよい。この場合、採用する特性に適応するように、路面荷重推定部における前述した機能的構成の一部を適宜に変更してもよい。
【００８５】
さらに、本発明では、ヒステリシス特性は、伝達関数モデル以外の適当な表現で表されてもよい。この場合、採用する表現に適応するように、路面荷重推定部における前述した機能的構成の一部を適宜に変更してもよい。
【００８６】
〔まとめ〕
以上の説明から明らかなように、本発明の実施形態における接地荷重推定装置（１００）は、車両（９００）の路面荷重を参照して車両の接地荷重を推定する接地荷重推定装置であって、車両の車輪角速度を取得する車輪速センサ（１３３）と、車輪速センサが取得した車輪角速度の変動、車両の運動に関する特性を表す第一ゲイン、および、車両が備えるタイヤのヒステリシス特性を表す第二ゲインをそれぞれ乗じて車両の路面荷重を推定する路面荷重推定部（１２０）とを備える。この構成によれば、実際の測定により近い十分に高い精度で車両における接地荷重を推定することができる。
【００８７】
本実施形態において、接地荷重推定装置が車両の慣性運動による接地荷重変動である慣性荷重を推定する慣性荷重推定部（１１０）をさらに備え、路面荷重推定部は、慣性荷重推定部が推定した慣性荷重を用いて第一ゲインを演算する第一ゲイン演算部（１２２）をさらに備えてもよい。この構成は、接地荷重の推定精度を高める観点からより一層効果的である。
【００８８】
本発明の実施形態において、第二ゲインが表す車両が備えるタイヤのヒステリシス特性は、車両が備えるタイヤの粘弾性特性による車輪角速度の変動と、路面荷重の変動との間のヒステリシス特性であってもよい。この構成は、接地荷重の推定精度を高める観点からより一層効果的である。
【００８９】
本発明の実施形態において、第二ゲインは、ヒステリシス特性を表現する伝達関数モデルで表されてもよい。この構成は、接地荷重の推定精度を高める観点および推定の制御の負荷を低減させる観点からより一層効果的である。
【００９０】
本発明の実施形態における車両制御装置は、前述した接地荷重推定装置を備え、接地荷重推定装置が推定した接地荷重を用いて、車両が備える他の装置を制御する。この構成によれば、実際の測定により近い十分に高い精度で車両における接地荷重を推定することができ、車両を所望の状態により精密に制御することができる。
【００９１】
本発明の実施形態における接地荷重推定方法は、車両の路面荷重を参照して車両の接地荷重を推定する接地荷重推定方法であって、車両の車輪角速度を車輪速センサによって取得するステップと、車輪速センサによって取得した車輪角速度の変動、車両の運動に関する特性を表す第一ゲイン、および、車両が備えるタイヤのヒステリシス特性を表す第二ゲインをそれぞれ乗じて車両の路面荷重を推定する路面荷重推定ステップと、を含む。これらの構成によれば、実際の測定により近い十分に高い精度で車両における接地荷重を推定することができる。
【符号の説明】
【００９２】
１００  接地荷重推定装置
１１０  慣性荷重推定部
１１１  基準慣性荷重演算部
１１２  補正値演算部
１２０  路面荷重推定部
１２１  タイヤ有効半径変動演算部
１２２  第一ゲイン演算部
１３１  横加速度センサ
１３２  操舵角／ヨーレートセンサ
１３３  車輪速センサ
１４１  定常荷重提供部
１４２、３０４  遅延部
１４３、１４４、３０３  加算部
１５０  懸架装置（サスペンション）
２００  車体
３００  車輪
３４０  前後加速度センサ
３７０  ＣＡＮ
４５０  車速センサ
５００  エンジン
６００  ＥＣＵ
９００  車両
【要約】
【課題】十分に高い精度で車両における接地荷重を推定可能な技術を実現する。
【解決手段】本発明に係る接地荷重推定装置は、車両の車輪角速度、定常荷重および慣性荷重を取得し、定常荷重および慣性荷重を用いて第一ゲインを演算し、第一ゲイン、所定の車両諸元、および、車両が備えるタイヤのヒステリシス特性を表す第二ゲインを用いて路面荷重を推定し、当該路面荷重を参照して車両の接地荷重を推定する。
【選択図】なし【図１】
0006817483.tif 000013
【図２】
0006817483.tif 000014
【図３】
0006817483.tif 000015
【図４】
0006817483.tif 000016
【図５】
0006817483.tif 000017
【図６】
0006817483.tif 000018